(57)【要約】      （修正有）【課題】緩衝、断熱、及び収容空間の節約効果を兼ね備える環状カップスリーブを提供する。【解決手段】少なくとも１層の平面状の型紙１０を巻回することで形成し、型紙には複数の裁断部１３及び複数の接合部１４を間隔を空けて形成し、各接合部は各裁断部の間に分布する。カップスリーブは折ることで平面状に形成し、各裁断部が直線穴を呈する。カップスリーブが平面状から環状に展開し、各裁断部を直線穴から立体のハニカム状穴１６に拡張する。各接合部は各ハニカム状穴の間に連結して立体の支持面とする。【選択図】図１
0003228147.tif 000002
【実用新案登録請求の範囲】
【請求項１】
少なくとも１層の平面状の型紙を巻回することで形成する環状カップスリーブであって、前記型紙には複数の裁断部及び複数の接合部を間隔を空けて形成し、各前記接合部は各前記裁断部の間に分布し、
前記カップスリーブは折ることで平面状に形成し、各前記裁断部が直線穴を呈し、且つ前記カップスリーブが平面状から環状に展開し、各前記裁断部を前記直線穴から立体のハニカム状穴に拡張し、且つ各前記接合部は各前記ハニカム状穴の間に連結して立体の支持面とすることを特徴とする環状カップスリーブ。
【請求項２】
各前記裁断部は相互に平行すると共に交錯に配列方式で前記型紙に分布することを特徴とする請求項１に記載の環状カップスリーブ。
【請求項３】
各前記裁断部の長さは各前記接合部より長いことを特徴とする請求項１に記載の環状カップスリーブ。
【請求項４】
前記型紙は１枚の型紙であり、前記１枚の型紙を折ることで多層巻回形式を形成することを特徴とする請求項１、２、または３に記載の環状カップスリーブ。
【請求項５】
前記１枚の型紙の端部には少なくとも１つの貼着部を設け、前記型紙の他端は巻回して前記貼着部に相互に貼着し、前記１枚の型紙を巻回して環状スリーブ形態を形成することを特徴とする請求項４に記載の環状カップスリーブ。
【請求項６】
前記１枚の型紙は少なくとも１つの折り線を含み、前記１枚の型紙を前記折り線に沿って半分折りにして第一層型紙及び第二層型紙を形成し、前記貼着部は第一貼着部及び第二貼着部を含み、前記第一貼着部は前記第一層型紙及び第二層型紙を半分折りする前の同一の端部に位置し、前記第二貼着部は前記第一層型紙及び第二層型紙の半分折りした後の一側の端部に位置することを特徴とする請求項５に記載の環状カップスリーブ。
【考案の詳細な説明】
【技術分野】
【０００１】
本考案は、物品に対する保護作用を提供するカップスリーブに関し、より詳しくは、環状カップスリーブに関する。
【背景技術】
【０００２】
カップスリーブは物品の外側に覆設し、物品に緩衝及び断熱の保護作用を提供する。例えば、果物類は傷付きやすい物品であるが、カップスリーブが緩衝作用を提供することで運送中や保管時にぶつかることで損傷を受けないようにする。また、例えば、カップドリンク類は高温の物品であるが、カップスリーブを覆設することによりカップドリンクに断熱作用を提供し、人がカップドリンクを手で持つ際に火傷しないようにしている。
【０００３】
また、カップスリーブは一般的に気泡緩衝材、スポンジ、ボール紙、厚紙板等の材料で製造している。このうち、気泡緩衝材、スポンジ、ボール紙で製造するカップスリーブは物品に好ましい緩衝及び断熱作用を提供する。
【考案の概要】
【考案が解決しようとする課題】
【０００４】
しかしながら、気泡緩衝材、スポンジ、ボール紙自体の体積が大きく、カップスリーブを収容、保管、廃棄する際に空間を占有してしまった。また、厚紙板で製造するカップスリーブは収容時に占有する空間は小さいが、その緩衝及び断熱作用が低かった。
【０００５】
さらに、一般的なコンビニエンスストアで提供している暖かい食べ物を持つためのネットは、一紙的な基材を裁断穴により展開することで形成する。前記ネットは暖かい食べ物を火傷をしないように持てるようにする作用を有するが、このような前記ネットは物品への緩衝保護作用を提供できなかった。
【０００６】
以上のことから、現在市場で見受けられる物品カップスリーブは、緩衝、断熱、及び収容時に空間を占有しないという３つの作用について各々優劣があり、緩衝、断熱、及び収容時に空間を占有しないという３つの作用を兼ね備えた物品カップスリーブは存在しなかった。そこで、本考案者は上記の欠点が改善可能と考え、鋭意検討を重ねた結果、合理的設計で上記の課題を効果的に改善する本考案の提案に到った。
【０００７】
本考案はこうした状況に鑑みてなされたものであり、その目的は、環状カップスリーブを提供することにある。すなわち、従来のカップスリーブでは緩衝、断熱、及び収容時に空間を占有しないという効果を兼ね備えていないという問題を改善する。
【課題を解決するための手段】
【０００８】
上記課題を解決するために、本考案のある態様の環状カップスリーブは、少なくとも１層の平面状の型紙を巻回することで形成する。前記型紙には複数の裁断部及び複数の接合部を間隔を空けて形成し、各前記接合部は各前記裁断部の間に分布する。前記カップスリーブは折ることで平面状に形成し、各前記裁断部が直線穴を呈する。前記カップスリーブが平面状から環状に展開し、各前記裁断部を前記直線穴から立体のハニカム状穴に拡張し、且つ各前記接合部は各前記ハニカム状穴の間に連結して立体の支持面とする。
【０００９】
本考案の好適例において、各前記裁断部は相互に平行すると共に交錯に配列方式で前記型紙に分布する。
【００１０】
本考案の好適例において、各前記裁断部の長さは各前記接合部より長い。
【００１１】
本考案の好適例において、前記型紙は１枚の型紙であり、前記１枚の型紙を折ることで多層巻回形式を形成する。
【００１２】
本考案の好適例において、前記１枚の型紙の端部には少なくとも１つの貼着部を設け、前記型紙の他端は巻回して前記貼着部に相互に貼着し、前記１枚の型紙を巻回して環状スリーブ形態を形成する。
【００１３】
本考案の好適例において、前記１枚の型紙は少なくとも１つの折り線を含む。前記１枚の型紙を前記折り線に沿って半分折りにして第一層型紙及び第二層型紙を形成し、前記貼着部は第一貼着部及び第二貼着部を含む。前記第一貼着部は前記第一層型紙及び第二層型紙を半分折りする前の同一の端部に位置し、前記第二貼着部は前記第一層型紙及び第二層型紙の半分折りした後の一側の端部に位置する。
【考案の効果】
【００１４】
本考案によれば、次のような効果がある。
カップスリーブを平面状に折ると、各前記裁断部が直線穴となり、カップスリーブを平面状から環状に展開すると、各前記裁断部が前記直線穴から立体のハニカム状穴に拡張する。また、各前記接合部を各前記ハニカム状穴の間に連結して立体の支持面とする。これにより、カップスリーブが緩衝、断熱、及び収容時に空間を占有しない効果を兼ね備える。また、本考案に係るカップスリーブは展開して物品を収容した後、物品の外輪郭に合わせて練成（即ち、可塑性）する能力を更に備え、物品を十二分に保護する。
【００１５】
本考案の他の特徴については、本明細書及び添付図面の記載により明らかにする。
【図面の簡単な説明】
【００１６】
【図１】本考案のカップスリーブを展開した状態を示す傾斜図である。
【図２】図１の部分拡大概略図である。
【図２ａ】図２の概略写真である。
【図３】１枚の型紙を折って作ったカップスリーブの動作を示す概略図である。
【図３ａ】図３の概略写真である。
【図４】１枚の型紙を折って作ったカップスリーブの動作を示す概略図である。
【図５】１枚の型紙を折って作ったカップスリーブの動作を示す概略図である。
【図６】１枚の型紙を折って作ったカップスリーブの動作を示す概略図である。
【図７】本考案の裁断部が線形穴からハニカム状穴への展開を示す概略図である。
【図８】カップスリーブが２層型紙の場合のハニカム状穴の部分拡大概略図である。
【図８ａ】図８の概略写真である。
【図９】本考案のカップスリーブが果物に覆設されているときの傾斜概略図である。
【図１０】本考案のカップスリーブがカップドリンクに覆設されているときの傾斜概略図である。
【考案を実施するための形態】
【００１７】
以下、本開示の実施形態について図面を用いて説明する。なお、本開示は、下記の実施形態に何ら限定されることはなく、本開示の技術的範囲に属する限り種々の形態を採りうる。
【００１８】
以下、本考案の実施形態を図１、図２、図２ａ、図３及び図３ａに基づいて説明する。本考案の環状カップスリーブは少なくとも１層の平面状の型紙１０を巻回することで形成し、前記型紙１０は牛皮紙で製造し、前記型紙１０には複数の裁断部１３及び複数の接合部１４を形成する。
【００１９】
各前記裁断部１３は交錯配列方式で前記型紙１０に分布し、各前記接合部１４は各前記裁断部１３の間に分布する。前記裁断部１３は直線穴として実施し、各前記裁断部１３の長さは各前記接合部１４より長い。更に詳しくは、前記型紙１０の両端には第一端部１０１及び第二端部１０２をそれぞれ形成し、第一端部１０１は第二端部１０２に連結し、前記型紙１０を巻回して環状スリーブ形態を形成する。更に詳しくは、前記型紙１０は第一端部１０１に少なくとも１つの貼着部１５を設け、前記第一端部１０１は貼着部１５を介して第二端部１０２に連結する。前記第一端部は貼着部１５を介して接着剤により第二端部１０２に連結する。
【００２０】
前記型紙１０は少なくとも１つの折り線１７を含み、前記型紙１０は前記折り線１７に沿って半分折りにして第一層型紙１１及び第二層型紙１２を形成し、第一端部１０１を第二端部１０２に連結し、１枚の型紙を追って２層のカップスリーブ構造を形成する。更に詳しくは、前記貼着部１５は第一貼着部１５１及び第二貼着部１５２を備え、前記第一貼着部１５１は第一層型紙１１及び第二層型紙１２の半分折りする前の同一の端部に位置し、前記第二貼着部１５２は第一層型紙１１及び第二層型紙１２の半分折りした後の一側の端部に位置する。例えば、第一貼着部１５１が前記第一層型紙１１及び第二層型紙１２の一側の端面の第一端部１０１に位置する場合、前記第二貼着部１５２は第一層型紙１１及び第二層型紙１２の他側の端面の第一端部１０１または第二端部１０２に位置する。
【００２１】
次は、上述の配置に基づいて、図３乃至図６を参照しながら、本考案の動作図について順に説明する。まず、前記型紙１０を平面状に展開し（図３参照）、第一貼着部１５１に接着剤を塗布する。次いで、前記型紙１０を前記折り線１７に沿って半分折りにし（図４参照）、第一層型紙１１及び第二層型紙１２の第一貼着部１５１を相互に貼着する。その後、前記型紙１０を再度半分折りにし（図５参照）、第二貼着部１５２に接着剤を塗布し、第一端部１０１を第二端部１０２に連結し、前記型紙１０を折って多層巻回形式に形成する（図６参照）。
【００２２】
図２、図２ａ、図７、図８及び図８ａに示すように、カップスリーブを展開する際に、前記型紙１０に対して相反する双方向の引張力をかけ、２つの前記引張力は各前記裁断部１３に対してそれぞれ背向して垂直にかけ、裁断部１３の両側を上下にずらし、各前記裁断部１３を直線穴から展開して立体ハニカム状穴１６を形成する（図７参照）。展開後のハニカム状穴１６は６つの端部１６１を巻回して六角形穴として形成し、実質的に前記６つの端部１６１は前記ハニカム状穴１６を展開する前に前記裁断部１３の直線穴の周辺に分布する。また、裁断部１３を立体ハニカム状穴１６に展開した後、これら前記接合部１４を各前記ハニカム状穴１６の間に連結して立体支持面とする（図２と図２ａ参照）。即ち、前記型紙１０の裁断部１３及び接合部１４を平面から立体にし、裁断部１３及び接合部１４で形成する立体状支持構造により、カップスリーブが緩衝及び断熱作用を有する。カップスリーブを二層以上の型紙を巻回することで形成する場合、裁断部１３及び接合部１４で形成する立体状支持構造が対応する多層立体ハニカム状穴支持構造を形成し（図８と図８ａ参照）、これにより、カップスリーブの緩衝及び断熱作用を強化する。ここでは、本考案は前記立体ハニカム状穴支持構造を２層のものに限定せず、実質的に多層である。
【００２３】
図９及び図１０に示すように、環状カップスリーブを展開した後、スリーブ内に収容空間１８を形成し、カップスリーブは前記収容空間１８に果物２０等の衝撃を受けると傷付きやすい物品を収容する（図９参照）。カップスリーブを環状に展開した後、塑造能力を有する、よって、収容空間１８内に果物２０等の物品を収容した（図９参照）後、カップスリーブは果物２０の外輪郭に合わせて対応する輪廓に練成され（図示省略）、果物の外側を覆い持つことができ、果物２０を十二分に保護する。同時に、カップスリーブが提供する緩衝作用により、果物２０がぶつかっても損傷を受けないようにし、果物２０の保管及び運送に利する。また、カップスリーブは収容空間１８にカップドリンク３０のような高温の物品を収容する場合（図１０参照）、カップスリーブの断熱作用により、人がカップドリンク３０を手に持った際に火傷しないようにしている。
【００２４】
以上、本考案の実施形態について図面を参照して詳述したが、具体的な構成はこの実施形態に限られるものではなく、本考案の要旨を逸脱しない範囲の設計変更等も含まれる。
【符号の説明】
【００２５】
１０  型紙
１０１  第一端部
１０２  第二端部
１１  第一層型紙
１２  第二層型紙
１３  裁断部
１４  接合部
１５  貼着部
１５１  第一貼着部
１５２  第二貼着部
１６  ハニカム状穴
１６１  端部
１７  折り線
１８  収容空間
２０  果物
３０  カップドリンク
【図１】
0003228147.tif 000003
【図２】
0003228147.tif 000004
【図２ａ】
0003228147.tif 000005
【図３】
0003228147.tif 000006
【図３ａ】
0003228147.tif 000007
【図４】
0003228147.tif 000008
【図５】
0003228147.tif 000009
【図６】
0003228147.tif 000010
【図７】
0003228147.tif 000011
【図８】
0003228147.tif 000012
【図８ａ】
0003228147.tif 000013
【図９】
0003228147.tif 000014
【図１０】
0003228147.tif 000015